(57)【要約】      （修正有）【課題】携帯型音楽再生装置を保護ケースに挿入した状態で持ち運ぶ際に、保護ケースから携帯型音楽再生装置が抜け落ちる恐れが少ない再生装置ケースを提供する。【解決手段】袋状に形成され、上端に挿入口を有し、該挿入口から挿入された携帯音楽再生装置４を内包するケース本体２と、イヤホン等のコードを収納するコード収納部３とからなり、前記コード収納部は前記ケース本体の左右幅よりも幅広に形成され、前記コード収納部は前記ケース本体の上部に接合され、前記コード収納部がキャラクターの頭部を形成すると共に前記ケース本体がキャラクターの胴体部を形成するようにしてコード収納機能付携帯型音楽再生装置ケースを構成する。【選択図】図１
0003150480.tif 000002
【実用新案登録請求の範囲】
【請求項１】
下半部に円形の操作部を備え上半部に曲名等を表示する表示部を備えている携帯型音楽再生装置を収納するコード収納機能付携帯型音楽再生装置ケースであって、
袋状に形成され、上端に挿入口を有し、該挿入口から挿入された携帯音楽再生装置を内包するケース本体と、
イヤホン等のコードを収納するコード収納部とからなり、
前記ケース本体の前面の上部には、携帯型音楽再生装置の操作部に対応して形成された操作窓と携帯型音楽再生装置の表示部に対応して形成された表示窓とが上下に配設され、
前記挿入口を開閉する蓋部が形成され、
前記コード収納部は前記ケース本体の左右幅よりも幅広に形成され、
前記コード収納部にはイヤホン等のコードを出し入れする収納口が形成され、
前記コード収納部は前記ケース本体の上部に接合され、
前記コード収納部がキャラクターの頭部を形成すると共に前記ケース本体がキャラクターの胴体部を形成する
ことを特徴とするコード収納機能付携帯型音楽再生装置ケース。
【請求項２】
前記コード収納部裏面の下端部にコード引出口が形成される
ことを特徴とする請求項１に記載のコード収納機能付携帯型音楽再生装置ケース。
【考案の詳細な説明】
【技術分野】
【０００１】
本考案は、イヤホン等のコードを収納する機能を有する携帯型音楽再生装置ケースに関する。
【背景技術】
【０００２】
従来、携帯型音楽再生装置を保護するために保護ケースに当該再生装置を保持させて用いられていた。
【先行技術文献】
【特許文献】
【０００３】
【特許文献１】実公平６−２５９８４
【考案の概要】
【考案が解決しようとする課題】
【０００４】
しかし、近年の携帯型音楽再生装置の形状の薄型化及び平坦化により、携帯型音楽再生装置を保護ケースに挿入した状態で持ち運ぶ際に、保護ケースに設けられた挿入口から携帯型音楽再生装置が抜け落ちる恐れがあった。
【０００５】
また、携帯型音楽再生装置に付属するイヤホン等のコードは、携帯型音楽再生装置が小型化するにつれて相対的に場所をとり、当該再生装置が未使用時にはイヤホン等のコードを収納する場所に困ることが多かった。
【課題を解決するための手段】
【０００６】
本考案は、前記課題を解決するためになされた下半部に円形の操作部を備え上半部に曲名等を表示する表示部を備えている携帯型音楽再生装置を収納するコード収納機能付携帯型音楽再生装置ケースであって、袋状に形成され、上端に挿入口を有し、該挿入口から挿入された携帯音楽再生装置を内包するケース本体と、イヤホン等のコードを収納するコード収納部とからなり、前記ケース本体の前面の上部には、携帯型音楽再生装置の操作部に対応して形成された操作窓と携帯型音楽再生装置の表示部に対応して形成された表示窓とが上下に配設され、前記挿入口を開閉する蓋部が形成され、前記コード収納部は前記ケース本体の左右幅よりも幅広に形成され、前記コード収納部にはイヤホン等のコードを出し入れする収納口が形成され、前記コード収納部は前記ケース本体の上部に接合され、前記コード収納部がキャラクターの頭部を形成すると共に前記ケース本体がキャラクターの胴体部を形成することを特徴とする。
【０００７】
コード収納部は正面から見た形状が丸みのある略円形であることが好ましい。コード収納部は携帯型音楽再生装置の操作時には持ち手となるため、このような形状であることが持ち手として使用しやすいからである。
【０００８】
コード収納部の幅はケース本体の幅よりも０．５〜３ｃｍ幅広であることが好ましい。携帯型音楽再生装置の操作時にコード収納部を持ち手とした際に、コード収納部とケース本体との接合部分において引っ掛かりよく持つことができるからである。
【０００９】
ケース本体は携帯型音楽再生装置を内包することができる大きさであればよく、好ましくはケース本体の内部を正面から見た形状が長さ方向に９〜１２ｃｍ、幅方向に３〜７ｃｍの略矩形であることが好ましい
【００１０】
操作窓と表示窓は、それぞれ、ケース本体の前面部が切り抜かれ、携帯型音楽再生装置に直接触れることができるように形成しても良いが、ケース本体の前面部の切抜き部に透明な樹脂膜等を取付けて携帯型音楽再生装置を保護できるように形成しても良い。
【００１１】
また、請求項１に記載の構成に加えて、コード収納部裏面の下端部にコード引出口が形成されてもよい。このような構成により、コード収納部に収納されたイヤホン等のコードの一端を前記コード引出口からコード収納部の外側へ引出し、当該イヤホン等のコードの一端を、ケース本体の下端に設けられた開口から携帯型音楽再生装置の端子部に接続することができる。
【考案の効果】
【００１２】
本考案によると、コード収納部がキャラクターの頭部を形成し、ケース本体がキャラクターの胴体部を形成しており、コード収納部がケース本体の上部に接合されているので、携帯型音楽再生装置を操作しない状態で本考案を持ち手に提げるときには自然にケース本体が下にコード収納部が上になる状態となる。この結果、ケース本体の中に内包した携帯型音楽再生装置が、ケース本体の上端に形成されている挿入口から不測に飛び出る恐れを防ぐことができる。
【００１３】
本考案によれば、コード収納部がケース本体の上部に接合される構造を有することによって、使用者がコード収納部を握った状態で操作窓から携帯型音楽再生装置を操作することができる。コード収納部が握り部として機能することにより、小型化された携帯型音楽再生装置であっても持ちやすく、確実な操作性を実現することができる。
【００１４】
さらに、コード収納部がケース本体の幅よりも幅広に形成されていることにより、コード収納部とケース本体部の接合部分において握り手の引っ掛かりを確保することができ、操作時の確実な保持状態を実現することができる。
【００１５】
また、イヤホン等のコードをコード収納部に収納することができ、携帯型音楽再生装置を使用しない時であってもイヤホン等のコードの収納場所に困ることがない。また、コード収納部がケース本体の上部に接合される構造を有することによって、本考案全体の厚みの増加を最小限に抑えることができ、薄型化された携帯型音楽再生装置の携帯性を損なわない。
【００１６】
さらに、コード収納部がキャラクターの頭部を形成すると共にケース本体がキャラクターの胴体部を形成するので、ケース本体の形態に対してコード収納部の形態が装飾性を損なうことがない。従って、本考案を装飾品として他人から見える場所に身に付けることもでき、携帯型音楽再生装置の携帯性を損なうこともない。
【図面の簡単な説明】
【００１７】
【図１】ケース１の正面図である。
【図２】ケース１の背面図である。
【図３】ケース１の側面図である。
【図４】ケース１を使用して携帯型音楽再生装置４を操作する様子を示す図である。
【考案を実施するための形態】
【００１８】
以下、本考案について実施例に基づき更に詳細に説明する。
【００１９】
図１は本考案の一実施例を示す正面図であり、ケース１はケース本体２とケース本体２の上部２１において接合されたコード収納部３とから構成されている。ケース本体部２とコード収納部３との接合方法は融着によってもよいが、縫着により接合されていることが望ましい。
【００２０】
ケース１は、吊下部５を備え付けることにより、鞄や衣服等から吊下げて携帯することができる。
【００２１】
ケース本体２は布地もしくは樹脂製の素材を用いて形成されていることが好ましく、ケース本体２の前面２２には操作窓２３と表示窓２４とが上下に配設されている。操作窓２３は携帯型音楽再生装置４が備える操作部４１に対応して略円形に形成されており、表示窓２４は携帯型音楽再生装置４が備える表示部４２に対応して略矩形に形成されている。
【００２２】
ケース本体２は袋状に形成されており、図２に示すようにケース本体２の上端には携帯型音楽再生装置を挿入するための挿入口２５が設けられている。挿入口２５から挿入された携帯型音楽再生装置４は、ケース本体２に内包されることによって繰り返し操作することにより付着する汚れを防止することができる。
【００２３】
本実施例において、挿入口２５は、ケース本体２とコード収納部３の接合部分付近であって、ケース１の裏面に位置するように形成されている。このように挿入口２５を形成することによって、ケース１の正面からは挿入口２５が見えず、ケース１の装飾性を妨げないからである。
【００２４】
また、ケース本体２には挿入口２５を開閉できる蓋部２６が形成されている。蓋部２６は、蓋部２６の一端が挿入口２５の上端の前側の一部と縫着又は融着により接合され、蓋部２６の他端部がケース本体２の裏面と重なる状態で一対の釦２７により固定されるように構成されていることが好ましい。
【００２５】
また蓋部２６は、図示しないが一対の釦部２７をケース本体２の上部２１の内側面に備えることにより、挿入口２５を閉合させた状態で固定できるように構成してもよい。
【００２６】
図３の側面図に示すようにコード収納部３にはイヤホン等のコードを出し入れすることができる収納口３１が形成されている。収納口３１はコード収納部３の上端面、側端面、又は背面上部に形成されていることが好ましく、開閉はファスナー３２で行われることが好ましい。
【００２７】
コード収納部３はキャラクターの頭部を形成すると共にケース本体２がキャラクターの胴部を形成することにより、ケース１全体として一体のキャラクターを形成する。
【００２８】
図４に示すように、コード収納部３を握り手として用いてケース本体２に内包された携帯型音楽再生装置４を操作することができる。また、コード収納部３はケース本体２よりも幅広に形成されているので、コード収納部３とケース本体２との接合部分にしっかりと指をかけて握ることができる。
【００２９】
携帯型音楽再生装置４の操作を終えると、使用者は自然にケース本体が下にコード収納部が上になる状態でケース１を提げることにより、挿入部２５が下方を向かせることなく携帯型音楽再生装置４を携帯しながら音楽を聴くことができる。
【符号の説明】
【００３０】
１    ケース
２    ケース本体
２３  操作窓
２４  表示窓
２５  挿入口
２６  蓋部
３    コード収納部
３１  収納口
４    携帯型音楽再生装置
【図１】
0003150480.tif 000003
【図２】
0003150480.tif 000004
【図３】
0003150480.tif 000005
【図４】
0003150480.tif 000006